(57)【特許請求の範囲】
【請求項１】
デバイスであって、
決済トランザクションを実行する要求を受信し、
第１の通信プロトコルを使用して複数の近接デバイスのそれぞれのデバイス識別子を識別し、
前記複数の近接デバイスに関連付けられた１つ以上の属性及び前記トランザクションのうちの少なくとも１つに関連する決済要因に少なくとも部分的に基づいて、前記複数の近接デバイスからデフォルト決済デバイスを選択し、
第２の通信プロトコルを介して、前記決済トランザクションを実行するメッセージであって、前記デフォルト決済デバイスの前記デバイス識別子を含むメッセージを前記デフォルト決済デバイスに送信する、
ように構成されている少なくとも１つのプロセッサ
を備え、
前記複数の近接デバイスの第１のデバイスは、第１のユーザアカウントと関連付けられており、前記複数の近接デバイスの第２のデバイスは、前記第１のユーザアカウントと異なる第２のユーザアカウントと関連付けられている、
デバイス。
【請求項２】
前記メッセージは、前記メッセージの宛先アドレスの前記デフォルト決済デバイスの前記デバイス識別子を含む、請求項１に記載のデバイス。
【請求項３】
前記少なくとも１つのプロセッサは、
前記第２の通信プロトコルを介して、電子決済システムへの前記決済トランザクションを実行する前記メッセージを送信するように更に構成されており、前記電子決済システムは、前記デフォルト決済デバイスの前記デバイス識別子に少なくとも部分的に基づいて、前記デフォルト決済デバイスで前記決済トランザクションを実行するように構成されている、請求項１に記載のデバイス。
【請求項４】
前記少なくとも１つのプロセッサは、
電子決済システムから、前記決済トランザクションが完了したとの確認を受信するように更に構成されている、請求項１に記載のデバイス。
【請求項５】
前記確認は、前記決済トランザクションが前記デフォルト決済デバイスによって実行されたこと、又は、前記決済トランザクションが前記複数の近接デバイスの他のデバイスによって実行されたことを示す、請求項４に記載のデバイス。
【請求項６】
前記決済トランザクションを実行する前記要求は、コンテンツにアクセスする要求、又はサービスを実行する要求と関連付けられており、前記少なくとも１つのプロセッサは、
前記決済トランザクションが完了したとの前記確認を受信すると、前記コンテンツへのアクセスを提供するか、又は前記サービスを実行するのを容易にするように更に構成されている、請求項４に記載のデバイス。
【請求項７】
前記少なくとも１つのプロセッサは、
前記第１の通信プロトコルを介して、前記決済トランザクションを実行する前記要求を受信することに応じて、広告メッセージをブロードキャストし、
前記第１の通信プロトコルを介して、前記複数の近接デバイスのそれぞれからの前記広告メッセージへの応答を受信する、ように更に構成されており、前記複数の近接デバイスのそれぞれから受信される前記応答は前記複数の近接デバイスのそれぞれの前記それぞれのデバイス識別子を含む、請求項１に記載のデバイス。
【請求項８】
前記広告メッセージは、前記決済トランザクションの属性を更に含み、前記複数の近接デバイスのそれぞれから受信される前記応答は、前記属性に少なくとも部分的に基づいて前記決済トランザクションを実行するための、前記複数の近接デバイスのそれぞれの適合性に関する情報を含む、請求項７に記載のデバイス。
【請求項９】
前記決済トランザクションを実行するための、前記複数の近接デバイスのそれぞれの前記適合性に関する前記情報は、前記複数の近接デバイスのそれぞれによって算出されるそれぞれの適合性スコアを含み、前記デフォルト決済デバイスは、前記複数の近接デバイスの他のものに対して最高の適合性スコアを有することに少なくとも部分的に基づいて選択される、請求項８に記載のデバイス。
【請求項１０】
前記決済トランザクションの前記属性は、前記決済トランザクションと関連付けられた小売商識別子、前記決済トランザクションと関連付けられたコンテンツ若しくはサービスに関するトランザクション情報、又は前記決済トランザクションと関連した決済要件のうちの少なくとも１つを含む、請求項８に記載のデバイス。
【請求項１１】
前記少なくとも１つのプロセッサは、
各前記複数の近接デバイスが、前記決済トランザクションの前記属性、前記複数の近接デバイスのそれぞれの前記決済トランザクションを実行するための前記適合性に関する前記情報、又は前記複数の近接デバイスのそれぞれの、それぞれの属性、のうち少なくとも１つに少なくとも部分的に基づいて前記決済トランザクションを実行することになるそれぞれの可能性を判定するように更に構成されており、
前記デフォルト決済デバイスが、前記複数の近接デバイスの他のものに対して前記決済トランザクションを実行する最高の判定された可能性を有することに、少なくとも部分的に基づいて選択される、請求項８に記載のデバイス。
【請求項１２】
前記少なくとも１つのプロセッサは、
前記デフォルト決済デバイスと関連付けられた購入履歴、前記デバイスに対する前記デフォルト決済デバイスの近接性、前記デバイスに関する前記デフォルト決済デバイスのペアリングステータス、又は前記デフォルト決済デバイスと関連付けられたユーザの識別、のうちの少なくとも１つに少なくとも部分的に基づいて前記デフォルト決済デバイスの前記それぞれの属性を判定する、
ように更に構成されている、請求項１１に記載のデバイス。
【請求項１３】
前記少なくとも１つのプロセッサは、
前記決済トランザクションを実行する前記要求と関連付けられた音声コマンドを受信し、
前記音声コマンドに少なくとも部分的に基づいて、前記デフォルト決済デバイスと関連付けられた前記ユーザの前記識別、又は前記デバイスに対する前記デフォルト決済デバイスの前記近接性のうちの少なくとも１つを判定する、
ように更に構成されている、請求項１２に記載のデバイス。
【請求項１４】
第１の通信プロトコルを介してデバイスによって、近接決済要求側デバイスから決済要求メッセージを受信することであって、前記決済要求メッセージは、前記近接決済要求側デバイスと関連付けられた決済トランザクションの属性を含む、ことと、
前記決済トランザクションの前記属性に少なくとも部分的に基づいて、前記決済トランザクションを実行する、前記デバイスの適合性を判定することと、
前記第１の通信プロトコルを介して前記近接決済要求側デバイスに、前記決済トランザクションを実行する、前記デバイスの前記適合性のインジケーションを提供することと、
前記インジケーションを提供することに応じて、第２の通信プロトコルを介して、電子決済システムとの前記決済トランザクションを実行するメッセージを受信することであって、前記電子決済システムは前記決済要求側デバイスと分離されている、ことと、
前記第２の通信プロトコルを介して、前記電子決済システムとの前記決済トランザクションを実行するか、又は、前記第１の通信プロトコルを介して、前記決済トランザクションを他の近接デバイスにハンドオフすることと、
を含む方法。
【請求項１５】
前記決済トランザクションの前記属性は、前記決済トランザクションと関連付けられた小売商識別子、前記決済トランザクションと関連付けられたコンテンツ若しくはサービスに関する情報、又は前記決済トランザクションと関連付けられた決済要件のうちの少なくとも１つを含む、請求項１４に記載の方法。
【請求項１６】
前記決済トランザクションの前記属性に少なくとも部分的に基づいて適合性スコアを算出することであって、前記適合性スコアは、前記決済トランザクションを実行する、前記デバイスの前記適合性を示し、前記決済要求側デバイスに提供される前記インジケーションは前記適合性スコアを含む、ことを更に含む、請求項１５に記載の方法。
【請求項１７】
前記決済トランザクションの前記属性に少なくとも部分的に基づいて前記適合性スコアを算出することは、
前記決済トランザクションの前記属性及び前記デバイスの属性に、少なくとも部分的に基づいて前記適合性スコアを算出することであって、前記デバイスの前記属性は、前記デバイスと関連付けられた購入履歴、前記デバイスと関連付けられた決済能力、前記デバイスと関連付けられたユーザに関する情報、又は前記デバイスが前記近接決済要求側デバイスに代わって前記電子決済システムで決済トランザクションを実行した回数、のうちの少なくとも１つを含む、ことを含む、請求項１６に記載の方法。
【請求項１８】
前記デバイスが第１のユーザアカウントと関連付けられており、前記近接決済要求側デバイスが前記第１のユーザアカウントとは異なる第２のユーザアカウントと関連付けられている、請求項１４に記載の方法。
【請求項１９】
システムであって、
第１の通信プロトコルを介して通信するように構成されている第１の通信インタフェースと、
第２の通信プロトコルを介して通信するように構成されている第２の通信インタフェースと、
少なくとも１つのプロセッサであって、
決済金額に対して決済トランザクションを実行する要求を受信し、
前記第１の通信インタフェースを用いて、かつ、前記第１の通信プロトコルを介して、前記決済トランザクションに関する情報をブロードキャストし、
前記第１の通信インタフェースを用いて、かつ、前記第１の通信プロトコルを介して、近接デバイスのデバイス識別子及び前記決済金額の部分のインジケーションを受信し、
前記第２の通信インタフェースを用いて、かつ、前記第２の通信プロトコルを介して、前記決済金額の前記部分に対する他の決済トランザクションを実行するメッセージであって、前記近接デバイスの前記デバイス識別子を含むメッセージを前記近接デバイスに送信し、
前記第２の通信インタフェースを用いて、かつ、前記第２の通信プロトコルを介して、前記決済金額の前記部分に対する前記他の決済トランザクションが前記近接デバイスによって実行されたとの確認を受信する、ように構成されており、前記システムは第１のユーザアカウントと関連付けられており、前記近接デバイスは前記第１のユーザアカウントとは異なる第２のユーザアカウントと関連付けられている、
少なくとも１つのプロセッサと、
を備える、システム。
【請求項２０】
前記少なくとも１つのプロセッサは、
前記他の決済トランザクションが前記近接デバイスによって実行されたとの前記確認の受信まで前記決済トランザクションを実行するのを待ち、
前記第２の通信インタフェースを用いて、かつ、前記第２の通信プロトコルを介して、前記決済金額の前記部分に対する前記他の決済トランザクションが前記近接デバイスによって実行されたこの前記確認を受信すると、前記決済金額に対する前記決済トランザクションを実行し、及び／又は、
前記第２の通信インタフェースを用いて、かつ、前記第２の通信プロトコルを介して、前記決済金額の前記部分が前記近接デバイスと関連付けられた第１のアカウントから差し引かれて、前記決済金額の前記部分が前記システムと関連付けられた第２のアカウントに預けられた、というインジケーションを受信する、
ように更に構成されている、請求項１９に記載のシステム。
【発明の詳細な説明】
【技術分野】
【０００１】
（関連出願の相互参照）
本出願は２０１７年３月１６日に出願された「Ｐａｙｍｅｎｔ  Ｈａｎｄｏｆｆ  Ｓｙｓｔｅｍ」と題される米国仮特許出願第６２／４７２，１６７号の利益を主張するものであり、その全体が全ての目的のために参照によって本明細書に組み込まれる。
【０００２】
本明細書は、概して、決済トランザクションハンドオフシステムを含むハンドオフシステムに関する。
【背景技術】
【０００３】
電子決済システムでは、決済システムにアカウントがあるユーザは、ユーザのアカウントに登録される１つ以上のデバイスを用いて、決済トランザクションを実行することができる。いくつかの状況において、ユーザアカウントと関連付けられたデバイスは、例えば、デバイスがトランザクションを実行するために必要なハードウェア及び／又はソフトウェアを欠いているので、トランザクションを完了することができない場合がある。このような状況において、ユーザは、トランザクションを取り止めるか、又はユーザアカウントと関連付けられた別のデバイスを使用してトランザクションを実行することのいずれかが必要となる。例えば、トランザクションは、ユーザアカウントに関連付けられた１つのデバイス上で開始され、その後、同じユーザアカウントに関連付けられた別のデバイス上で完了することができる。従って、単一のユーザアカウントは、複数の関連付けられたデバイスからアクセスすることができる。
【図面の簡単な説明】
【０００４】
主題の技術のある特徴を、添付の特許請求の範囲に示す。しかしながら、説明の目的のため、本願の技術のいくつかの実施形態を、以下の図に示す。
【図１】１つ以上の実装形態に係る、決済ハンドオフシステムのための例示的なネットワーク環境を示す。
【図２】１つ以上の実装形態に係る、決済ハンドオフシステムにおいて使用され得る、例示的な電子デバイスを示す。
【図３】１つ以上の実装形態に係る、決済要求側デバイスの例示的なプロセスのフロー図を示す。
【図４】１つ以上の実装形態に係る、決済トランザクションを実行する電子デバイスの例示的なプロセスのフロー図を示す。
【図５】１つ以上の実装形態に係る、決済集約の例示的なプロセスのフロー図を示す。
【図６】１つ以上の実装形態に係る、主題の技術の態様が実装され得る例示的な電子システムを示す。
【発明を実施するための形態】
【０００５】
以下に述べる詳細な説明は、主題技術の様々な構成の説明として意図されており、主題技術を実施できる唯一の構成を表すことを意図するものではない。添付の図面は、本明細書に組み込まれ、詳細な説明の一部を構成する。詳細な説明は、本願の技術の完全な理解を提供するために特定の詳細を含む。しかしながら、主題技術は、本明細書で示された特定の詳細には限定されず、１つ以上の他の実装を使用して実施することができる。１つ以上の実装形態では、主題の技術の概念を不明瞭にすることを避けるために、構造及び構成要素がブロック図形式で示されている。
【０００６】
電子決済システムは、ユーザが、ユーザのアカウントに登録された１つのデバイスからユーザのアカウントに登録された別のデバイスへ決済トランザクションをハンドオフすることを可能にし得る。しかしながら、ユーザが、ユーザのアカウントに登録されたデバイスから別のユーザのアカウントに登録されたデバイスへ決済トランザクションをハンドオフすることを望む場合があり得る。例えば、ユーザがゲストの訪問を受けている場合、ゲストのうちの１人が自分自身のアカウントに登録されたデバイスを使用して、そのユーザのアカウントに登録されコンテンツアグリゲーションデバイス及び／又はコンテンツ視聴デバイスで見られるようにするために、映画などのコンテンツの決済をすることを望む場合がある。この例では、ユーザに登録されたデバイスは、ゲストがそれらのアカウントを通してコンテンツの決済を行うことができるように、ゲストに登録されたデバイスに、決済トランザクションをハンドオフする必要がある。ユーザに登録されたコンテンツアグリゲーションデバイスに近接している複数のゲストデバイスが存在する場合、コンテンツアグリゲーションデバイスは、どのゲストデバイスに決済トランザクションをハンドオフするかを判定する必要がある。
【０００７】
主題の決済ハンドオフシステムでは、コンテンツアグリゲーションデバイスなどの決済要求側デバイスは、映画を注文する、又は製品／サービスを購入するなど、決済要求側デバイスを通じて行われる商取引に関連付けられた決済トランザクションを実行する要求を受信することができる。決済要求側デバイスは、Ｂｌｕｅｔｏｏｔｈ低エネルギー通信プロトコルなどの第１の通信プロトコルを使用して、決済トランザクションを実行することができる１つ以上の近接デバイスを識別することができる。決済要求側デバイスは、１つ以上の決済要因に基づいて、識別された近接デバイスのうちの１つを、決済トランザクションのためのデフォルト決済デバイスとなるように選択することができる。１つ以上の決済要因は、例えば、決済要求側デバイスを介して行われる商取引の１つ以上の属性、及び／又は個々の近接デバイスに関連付けられた１つ以上の属性に関連してもよい。
【０００８】
次に、決済要求側デバイスは、デフォルト決済デバイスにメッセージを送信して、セルラー通信プロトコル又はＷｉ−Ｆｉ通信プロトコルなどの第２の通信プロトコルを介して決済トランザクションを実行するのを容易にすることができる。１つ以上の実装形態では、第２の通信プロトコルは、よりロバストであってもよく、及び／又は第１の通信プロトコルよりも高い品質のサービスに関連付けられてもよい。デフォルトの決済デバイスは、電子決済システムなどによって第２の通信プロトコルを介して決済トランザクションを実行することができ、商取引は、要求されたコンテンツへのアクセスを提供することなどによって、決済要求側デバイスを通じて完了することができる。従って、主題のシステムは、異なるユーザに登録されたものであり得るデバイス間で決済トランザクションがハンドオフされることを可能にし、主題のシステムは、決済トランザクションを実行することができる複数の近接デバイスが存在する場合に、決済トランザクションをハンドオフする近接デバイスを選択することを容易にする。
【０００９】
図１は、１つ以上の実装形態に係る、決済ハンドオフシステムのための例示的なネットワーク環境１００を示す。しかしながら、描写された構成要素の全てが全ての実装形態において使用され得るわけではなく、１つ以上の実装形態は、図に示されたものに追加の又は異なる構成要素を含むことができる。本明細書で示された特許請求の範囲の趣旨又は範囲から逸脱することなく、構成要素の構成及びタイプの変形を行うことができる。追加の構成要素、異なる構成要素、又はより少ない構成要素が提供されてもよい。
【００１０】
ネットワーク環境１００は、１つ以上の電子デバイス１０２Ａ〜Ｃ、決済要求側デバイス１０４、ネットワーク１０６、及び電子決済システムサーバ１０８を含む。ネットワーク１０６は、例えば、電子デバイス１０２Ａ〜Ｃ、決済要求側デバイス１０４及び／又は電子決済システムサーバ１０８のうちの任意の２つ以上を通信可能に（直接的又は間接的に）結合してもよい。１つ以上の実装形態では、ネットワーク１０６は、インターネットを含むか、又はインターネットに通信可能に結合されている、相互接続されたデバイスのネットワークであってもよい。説明の目的のために、ネットワーク環境１００は、３つの電子デバイス１０２Ａ〜Ｃ、単一の決済要求側デバイス１０４、及び単一の電子決済システムサーバ１０８を含むものとして図１に示されている。しかしながら、ネットワーク環境１００は、任意の数の電子デバイス、決済要求側デバイス及び／又は電子決済システムサーバを含むことができる。
【００１１】
電子デバイス１０２Ａ〜Ｃのうち１つ以上は、例えば、ラップトップコンピュータ、スマートフォン、周辺デバイス（例えば、デジタルカメラ、ヘッドホン）、コンテンツアグリゲーションデバイス、スマートテレビデバイス、タブレットデバイス、腕時計、バンドなどのようなウェアラブルデバイスなどのポータブルコンピューティングデバイスでもよく、又は、例えば、無線ＬＡＮ（ＷＬＡＮ）無線通信、Ｗｉ−Ｆｉ無線通信、セルラー無線通信、Ｂｌｕｅｔｏｏｔｈ無線通信、Ｚｉｇｂｅｅ無線通信、近距離通信（ＮＦＣ）無線通信及び／若しくは他の無線通信などの、１つ以上の無線インタフェースを含む任意の他の適切なデバイス、であってもよい。図１では、例として、電子デバイス１０２Ａ〜Ｂはモバイルデバイスとして示されており、電子デバイス１０２Ｃはスマートウォッチとして示されている。電子デバイス１０２Ａ〜Ｃは決済提供側デバイスと呼ばれてもよく、電子デバイス１０２Ａ〜Ｃは、図２に関して以下で説明する電子デバイス、及び／若しくは図６に関して以下で説明する電子システムであってもよく、並びに／又はそれらの全て若しくは一部を含んでもよい。
【００１２】
決済要求側デバイス１０４は、例えば、ラップトップなどのコンピューティングデバイス、セットトップボックスなどのコンテンツアグリゲーションデバイス、仮想パーソナルアシスタントデバイス、スマートテレビなどのコンテンツ表示デバイス、音声作動式購入デバイスなどのサービス／製品／コンテンツ購入デバイス、例えば無線交通機関決済端末、無線料金所決済端末、無線パーキングメータ決済端末、若しくは無線販売時点決済端末などの無線決済端末、及び／又は、ＮＦＣ無線通信、ＷＬＡＮ無線通信、Ｗｉ−Ｆｉ無線通信、Ｂｌｕｅｔｏｏｔｈ無線通信、Ｚｉｇｂｅｅ無線通信、セルラー無線通信及び／又は他の無線通信などの１つ以上の無線インタフェースを含む任意のデバイスなどの、決済トランザクションを要求し得る任意のデバイスでもよい。図１では、例として、決済要求側デバイス１０４は、セットトップボックスなどのコンテンツアグリゲーションデバイスとして示されている。決済要求側デバイス１０４は、図６に関して以下に説明する電子システムであってもよく、及び／又はその全部又は一部を含んでもよい。１つ以上の実装形態では、決済要求側デバイス１０４は、電子デバイス１０２Ａ〜Ｃのうちの１つ以上であってもよい。
【００１３】
電子デバイス１０２Ａ〜Ｃのうちの１つ以上は、例えば、ネットワーク１０６を迂回するＢｌｕｅｔｏｏｔｈ低エネルギー（ＢＬＥ）通信プロトコル又はＮＦＣプロトコルなどの第１の通信プロトコルを介して、決済要求側デバイス１０４及び／又は互いと直接通信することができる。１つ以上の実装形態では、第１の通信プロトコルは、ピアツーピア通信プロトコルであってもよく、及び／又はローカルエリアネットワーク通信に関連付けられてもよい。更に、第１の通信プロトコルは、比較的低いエネルギー通信、低オーバーヘッド、低レイテンシなどのいずれか／全てによって特徴付けることができる。１つ以上の実装形態では、電子デバイス１０２Ａ〜Ｂのうちの１つ以上は、Ｗｉ−Ｆｉ通信プロトコル、セルラー通信プロトコル、イーサネット通信プロトコルなどの第２の通信プロトコルを介してネットワーク１０６上で電子決済システムサーバ１０８及び／又は決済要求側デバイス１０４と通信することができる。１つ以上の実装形態では、第２の通信プロトコルは、クライアント／サーバ通信プロトコルであってもよく、及び／又は広域ネットワーク通信に関連付けられてもよい。
【００１４】
１つ以上の電子決済システムサーバ１０８は、電子デバイス１０２Ａ〜Ｃ及び／又は決済要求側デバイス１０４のうちの１つ以上に電子決済システムを提供することを容易にする１つ以上のサーバを含むことができる。１つ以上の実装形態では、１つ以上の電子決済システムサーバ１０８は、セキュアなモバイルプラットフォームであってもよく、及び／又はそれを含んでもよい。例えば、１つ以上の電子決済システムサーバ１０８は、１つ以上の信頼サービスマネージャ（ＴＳＭ）サーバ、１つ以上のブローカサーバ、１つ以上のアプリケーションサーバ、及び／又は通常、電子決済システムの提供を容易にし得る任意のサーバを含むことができる。
【００１５】
１つ以上の実装形態では、電子デバイス１０２Ａ〜Ｃ及び／又は決済要求側デバイス１０４のうちの１つ以上は、電子決済システムのユーザのアカウントに登録することができる。ユーザのアカウントへの登録によって、１つ以上の電子デバイス１０２Ａ〜Ｃ及び／又は決済要求側デバイス１０４を用いて、電子決済システムを介して決済トランザクションを実行することを可能にし得る。電子デバイス１０２Ａ〜Ｃ及び／又は決済要求側デバイス１０４のうちの１つ以上は、同じユーザのアカウントに登録されてもよく、及び／又は、電子デバイス１０２Ａ〜Ｃのうちの１つ以上は、決済要求側デバイス１０４とは異なるアカウントに登録されてもよい。
【００１６】
主題の決済ハンドオフシステムで、決済要求側デバイス１０４は要求を受信して、決済トランザクション、例えば、決済要求側デバイス１０４を通して行われている商取引と関連した決済トランザクションを実行する。決済トランザクションを実行する要求が受信されると（又は一般に他のいかなる時間にも）、決済要求側デバイス１０４は、第１の通信プロトコル（例えば、ＢＬＥ）を使用してブロードキャストメッセージ（例えば、ビーコン及び／又は広告メッセージ）を送信して、有効な通信範囲（例えば、近位／近接）内にある電子デバイス１０２Ａ〜Ｃの存在を識別することができる。決済要求側デバイス１０４に近接し、及び／又は決済トランザクションを実行することができる電子デバイス１０２Ａ〜Ｃは、第１の通信プロトコルを介して、第２の通信プロトコル（例えば、Ｗｉ−Ｆｉ、セルラーなど）によって近接デバイスと通信するためのデバイス識別子を含むメッセージを送信することによって応答することができる。デバイス識別子は、例えば、電子決済システムサーバ１０８によって提供されるサーバベースのセキュアメッセージングシステムを介して近接デバイスと通信するために使用され得る識別子であってもよい。１つ以上の実装形態では、電子デバイス１０２Ａ〜Ｃのうちの１つ以上は、第１の通信プロトコルを介した通信のために決済要求側デバイス１０４と前もってペアリングされていてもよい。
【００１７】
近接電子デバイス１０２Ａ〜Ｃのデバイス識別子を受信すると、決済要求側デバイス１０４は、電子デバイス１０２Ａ〜Ｃのうちの１つを、決済トランザクションのためのデフォルト決済デバイスとなるように選択することができる。デフォルト決済デバイスは、例えば、１つ以上の決済要因に基づくなどして、１つ以上の電子デバイス１０２Ａ〜Ｃのうちのどれが決済トランザクションを実行する可能性が最も高く、及び／又は実行するのに最も適しているか、という判定に基づいて、選択することができる。１つ以上の決済要因は、例えば、決済要求側デバイス１０４を介して行われている商取引及び／又は電子デバイス１０２Ａ〜Ｃのうちの１つ以上に関連付けられた１つ以上の属性に関連してもよい。
【００１８】
決済要求側デバイス１０４は、決済トランザクションを第２の通信プロトコルを介して直接電子デバイス１０２Ａと実行するために、デフォルト決済デバイスに関連付けられたアドレスを第２の通信プロトコルを介して電子決済システムサーバ１０８に提供し、及び／又は決済要求側デバイス１０４は、電子デバイス１０２Ａが第２の通信プロトコルを介して直接電子決済システムサーバ１０８と決済トランザクションを開始することを可能にする第２の通信プロトコルを介して電子デバイス１０２Ａにアドレス指定されたメッセージを送信し、それにより、決済トランザクションを電子デバイス１０２Ａに事実上ハンドオフする。
【００１９】
電子デバイス１０２Ａは、第２の通信プロトコルを介して直接電子決済システムサーバ１０８と決済トランザクションを実行することができる。１つ以上の実装形態では、電子決済システムサーバ１０８は、決済トランザクションが実行されたとき、例えば、電子デバイス１０２Ａによって、又は電子デバイス１０２Ｂ〜Ｃのうちの別のものによって、第２の通信プロトコルを介して、決済要求側デバイス１０４に通知することができる。この点に関しては、電子デバイス１０２Ａが決済トランザクションを実行することを望まない場合、電子デバイス１０２Ａは、例えば電子デバイス１０２Ａのユーザインタフェースを介して、及び／又は決済要求側デバイス１０４のユーザインタフェースなどを介して、別の電子デバイス１０２Ｂ〜Ｃへの決済トランザクションのハンドオフを開始することができる。決済要求側デバイス１０４による決済トランザクションをハンドオフする例示的なプロセスは、図３に関して以下に更に説明される。
【００２０】
１つ以上の実装形態では、決済要求側デバイス１０４によって送信されるブロードキャストメッセージ（及び／又はその後に送信されるメッセージ）は、決済トランザクションに関連付けられた小売商を識別する属性、決済トランザクションに関連付けられたアイテム又はサービス、決済トランザクションに必要とされる決済の種類、又は決済トランザクションに関連付けられた一般的に任意の属性若しくは要件などの、要求されている決済トランザクションの１つ以上の属性及び／又は要件を含むことができ、電子デバイス１０２Ａ〜Ｃのうちの１つ以上は、１つ以上の属性及び／又は要件を受信することができ、１つ以上の電子デバイス１０２Ａ〜Ｃはそれぞれ、決済トランザクションを実行するための電子デバイス１０２Ａ〜Ｃのそれぞれの適合性を示す適合性スコアを生成することができ、これは例えば、決済トランザクションの属性及び／若しくは要件に基づいて、並びに／又は電子デバイス１０２Ａ〜Ｃのそれぞれに関連付けられた１つ以上の属性に基づく。電子デバイス１０２Ａ〜Ｃは、第１の通信プロトコルを介して決済要求側デバイス１０４へ、それらのそれぞれの適合性スコアを通信して返すことができる。決済要求側デバイス１０４は、電子デバイス１０２Ａ〜Ｃのうちのどれが、提供された適合性スコアに少なくとも部分的に基づいて、トランザクションを実行するのに最も好適であるか、又は最も可能性が高いかを判定することによって、デフォルト決済デバイスを選択することができる。例示的な電子デバイス１０２Ａによる適合性スコアを計算する例示的なプロセスは、図４に関して以下に更に説明される。
【００２１】
１つ以上の実装形態では、主題のシステムは、電子デバイス１０２Ａ〜Ｃの複数の間の決済のチェーン、例えば、決済集約を容易にするために使用することができる。この例では、電子デバイス１０２Ａなどの電子デバイス１０２Ａ〜Ｃのうちの１つは決済要求側デバイスであってもよく、電子デバイス１０２Ａは、他の電子デバイス１０２Ｂ〜Ｃのうちの１つ以上が、特定の決済トランザクションに関連付けられた決済金額の少なくとも一部分に寄与することを要求してもよい。電子デバイス１０２Ａは、決済トランザクションをハンドオフすることに関して上述したのと同様の方法で、第１の通信プロトコル（例えば、ＢＬＥ）を介してブロードキャストメッセージを送信して、決済集約を開始することができる。他の電子デバイス１０２Ｂ〜Ｃのうちの１つ以上は、第２の通信プロトコルを介して、かつ電子決済システムサーバ１０８を経由して決済トランザクションに対する決済の一部を電子デバイス１０２Ａに与えることができる。電子デバイス１０２Ａが他の電子デバイス１０２Ｂ〜Ｃから決済金額の部分を受信すると、電子デバイス１０２Ａは、例えば、第２の通信プロトコルを使用して、かつ、電子決済システムサーバ１０８を経由して、決済トランザクションを完了することができる。決済集約のための例示的なプロセスを、図５に関して以下で更に論じる。
【００２２】
図２は、１つ以上の実装形態に係る、決済ハンドオフシステムにおいて使用され得る例示的な電子デバイス１０２Ａを示す。しかしながら、描写された構成要素の全てが全ての実装形態において使用され得るわけではなく、１つ以上の実装形態は、図に示されたものに追加の又は異なる構成要素を含むことができる。本明細書で示された特許請求の範囲の趣旨又は範囲から逸脱することなく、構成要素の構成及びタイプの変形を行うことができる。追加の構成要素、異なる構成要素、又はより少ない構成要素が提供されてもよい。１つ以上の実装形態では、例示的な電子デバイス１０２Ａの１つ以上の構成要素は、電子デバイス１０２Ｂ〜Ｃ及び／又は決済要求側デバイス１０４のうちの１つ以上によって実装されてもよい。
【００２３】
電子デバイス１０２Ａは、他の構成要素の中でも、ホストプロセッサ２０２、メモリ２０４、セキュアエレメント２０６、第１の通信インタフェース２０８、及び第２の通信インタフェース２１０を含むことができる。セキュアエレメント２０６は、例えば、セキュアプロセッサ、ＲＡＭ、セキュリティエンジン、インタフェース及び／又は不揮発性メモリを含むことができる。セキュアエレメント２０６は、電子決済システムサーバ１０８などとの決済トランザクションを実行するために、ホストプロセッサ２０２によって使用されてもよい。ホストプロセッサ２０２は、アプリケーションプロセッサ又はプロセッサと呼ばれてもよく、データを処理し、及び／又は電子デバイス１０２Ａの動作を制御することを可能にする、好適なロジック、回路、及び／又はコードを含むことができる。これに関しては、ホストプロセッサ２０２が、電子デバイス１０２Ａの様々な他の構成要素に制御信号を提供することを可能にしてもよい。
【００２４】
ホストプロセッサ２０２はまた、電子デバイス１０２Ａの様々な部分間でのデータ転送を制御してもよい。加えて、ホストプロセッサ２０２は、電子デバイス１０２Ａの動作を管理するために、オペレーティングシステムの実施を可能にするか、又はコードを実行してもよい。メモリ２０４は、受信データ、生成データ、コード、及び／又は構成情報などの様々なタイプの情報の記憶を可能にする適切なロジック、回路、及び／又はコードを含むことができる。メモリ２０４は、例えば、ランダムアクセスメモリ（ＲＡＭ）、読み出し専用メモリ（ＲＯＭ）、フラッシュ、及び／又は磁気記憶装置を含むことができる。
【００２５】
第１の通信インタフェース２０８は、ＢＬＥ又はＮＦＣなどの第１の通信プロトコルを介して通信するために、ホストプロセッサ２０２によって使用されてもよく、第２の通信インタフェース２１０は、Ｗｉ−Ｆｉ、セルラー、イーサネットなどの第２の通信プロトコルを介して通信するために、ホストプロセッサ２０２によって使用されてもよい。１つ以上の実装形態では、第１の通信インタフェース２０８は、Ｂｌｕｅｔｏｏｔｈ回路及び／又はＮＦＣ回路などの第１の無線周波数（ＲＦ）回路であってもよく、それを含んでもよく、それに通信可能に結合されてもよく、第２の通信インタフェース２１０は、ＷＬＡＮ回路、セルラーＲＦ回路などの第２のＲＦ回路であってもよく、それを含んでもよく、それに通信可能に結合されてもよい。１つ以上の実装形態では、第１の通信インタフェース２０８は、第２の通信インタフェース２１０の全て又は一部を含み得る。
【００２６】
１つ以上の実装形態では、ホストプロセッサ２０２、メモリ２０４、セキュアエレメント２０６、第１の通信インタフェース２０８、第２の通信インタフェース２１０、及び／又はそれらの１つ以上の部分、のうちの１つ以上は、ソフトウェア（例えば、サブルーチン及びコード）、ハードウェア（例えば、ＡＳＩＣ、ＦＰＧＡ、ＰＬＤ、コントローラ、ステートマシン、ゲートロジック、ディスクリートハードウェア構成要素、又は任意の他の好適なデバイス）、及び／又はその両方の組み合わせで実装されてもよい。
【００２７】
図３は、１つ以上の実装形態に係る、決済要求側デバイス１０４の例示的なプロセス３００のフロー図を示す。説明のために、プロセス３００を、本明細書では、主として図１の決済要求側デバイス１０４を参照して説明する。しかしながら、プロセス３００は図１の決済要求側デバイス１０４に限定されず、プロセス３００の１つ以上のブロック（又は動作）は、決済要求側デバイス１０４の１つ以上の構成要素又はチップによって実行されてもよい。決済要求側デバイス１０４はまた、例示的なデバイスとして提示され、本明細書に記載される動作は、電子デバイス１０２Ａ〜Ｃのうちの１つ以上などの任意の好適なデバイスによって実行されてもよい。更に、説明のために、プロセス３００のブロックは、本明細書では逐次的に、又は直線的に発生するものとして説明している。しかしながら、プロセス３００の複数のブロックは、並行して発生してもよい。加えて、プロセス３００のブロックは、図示された順序で実行される必要はなく、並びに／又は、プロセス３００の１つ以上のブロックは、実行される必要はなく、及び／若しくは他の動作によって置き換えることができる。
【００２８】
プロセス３００は、コンテンツアグリゲーションデバイスなどの決済要求側デバイス１０４が、決済トランザクションを実行する要求を受信するときに開始することができる（３０２）。例えば、決済要求側デバイス１０４は、決済金額、例えばレンタル又は購入コストのために決済トランザクションが実行されることを必要とする映画をレンタル／購入する要求を受信することができる。１つ以上の実装形態では、要求は音声コマンドとして受信されてもよく、及び／又は要求は、リモート制御などの決済要求側デバイス１０４に通信可能に結合されたデバイスを通して受信されてもよい。要求に応答して、決済要求側デバイス１０４は、第１の通信プロトコル（ＢＬＥなど）を介して、決済トランザクションに関連付けられたメッセージをブロードキャストする（３０４）。メッセージは、例えば、任意の近接電子デバイス１０２Ａ〜Ｃが、Ｗｉ−Ｆｉ又はセルラーなどの第２の通信プロトコルを介して通信するための、それらの現在のデバイス識別子によって応答することを要求することができる広告又はビーコンメッセージであってもよい。１つ以上の実装形態では、デバイス識別子は、経時的に変化し得る。１つ以上の実装形態では、決済要求側デバイス１０４は、電子デバイス１０２Ａ〜Ｃを定期的又は非周期的など連続的にポーリングして、決済トランザクションのための要求が発生したときに電子デバイス１０２Ａ〜Ｃのうちのどれが利用可能であるかを連続的に識別することができる。
【００２９】
１つ以上の実装形態では、メッセージは、小売商識別子、コンテンツ識別子又は記述子、任意の決済要件（例えば、特定のタイプのクレジットカード）、及び／又はそれぞれの電子デバイス１０２Ａ〜Ｃによる、それらが決済トランザクションを実行するのに適しているかどうかに関する判定を容易にし得る任意の他の情報などの、決済トランザクションの１つ以上の属性を更に含むことができる。電子デバイス１０２Ａなどの電子デバイス１０２Ａ〜Ｃのうちの１つ以上は、決済トランザクションの１つ以上の属性を受信することができ、例えば、決済トランザクションの１つ以上の属性及び／又は電子デバイス１０２Ａに関連付けられた１つ以上の属性に少なくとも部分的に基づいて、決済トランザクションを実行するための電子デバイス１０２Ａの適合性を判定することができる。電子デバイス１０２Ａに関連付けられた１つ以上の属性は、例えば、電子デバイス１０２Ａが、決済トランザクションを開始したユーザに登録されているかどうかという電子デバイス１０２Ａに関連付けられた購入履歴、決済要求側デバイス１０４及び／若しくはリモート制御などのそれに通信可能に結合された、１つ以上のデバイスに対する電子デバイス１０２Ａの近接性、並びに／又は、決済トランザクションを実行するための電子デバイス１０２Ａの適合性、及び／若しくはその可能性を示すことができる一般に任意の他の情報を含むことができる。決済トランザクションを実行するための電子デバイス１０２Ａの判定された適合性は、図４に関して以下で更に説明される適合性スコアなどの適合性スコアを介して伝えられてもよい。
【００３０】
決済要求側デバイス１０４は、第１の通信プロトコルを介して、第２の通信プロトコルを介してそれぞれの電子デバイス１０２Ａ〜Ｃと通信するためのそれぞれのデバイス識別子を含む、近接電子デバイス１０２Ａ〜Ｃのうちの１つ以上からの１つ以上の応答を受信する（３０６）。１つ以上の実装形態では、応答は、それぞれの電子デバイス１０２Ａ〜Ｃの適合性のそれぞれのインジケーションを更に含んでもよく、例えば、図４に関して以下で更に説明される適合性スコアなどの決済トランザクションを実行することができる。決済要求側デバイス１０４は、ブロードキャストメッセージへの応答を提供した１つ以上の近接電子デバイス１０２Ａ〜Ｃのそれぞれによって実行される決済トランザクションの可能性を判定する（３０８）。
【００３１】
例えば、電子デバイス１０２Ａがブロードキャストメッセージ（又は後続のメッセージ）に対する応答を有する適合性スコアを提供した場合、決済要求側デバイス１０４は、決済トランザクションを実行する電子デバイス１０２Ａの可能性のインジケーションとして適合性スコアを使用することができる。電子デバイス１０２Ａなどの電子デバイス１０２Ａ〜Ｃのうちの１つ以上が適合性スコアを提供しなかった場合、決済要求側デバイス１０４は、電子デバイス１０２Ａの１つ以上の属性、決済トランザクションの１つ以上の属性、及び／又は決済トランザクションを実行している他の電子デバイス１０２Ｂ〜Ｃの可能性に基づいて、電子デバイス１０２Ａによって実行されている決済トランザクションの可能性を判定することができる。
【００３２】
例えば、決済要求側デバイスは、例えば、ローカルに、及び／又は第２の通信プロトコルを介して、電子デバイス１０２Ａにおいて利用可能な決済方法についての情報、電子デバイス１０２Ａに関連付けられた購入履歴、及び／又は電子デバイス１０２Ａに関する任意の他の情報にアクセスすることができる。１つ以上の実装形態では、決済要求側デバイス１０４は、例えば、近接デバイスのデバイス識別子に基づいて、電子決済システムサーバ１０８から近接デバイス１０２Ａ〜Ｃの購入履歴及び／若しくは他の属性を取得することができ、並びに／又は決済要求側デバイス１０４は、第１及び／若しくは第２の通信プロトコルを介して近接電子デバイス１０２Ａ〜Ｃと通信するためにデバイス識別子を使用することによって、近接電子デバイス１０２Ａ〜Ｃから直接購入履歴及び／若しくは他の属性を取得してもよい。１つ以上の実装形態では、決済要求側デバイス１０４はまた、例えば、部屋マッピング技術、飛行時間測定などを介して、電子デバイス１０２Ａの、決済要求側デバイス１０４に対する近接性、及び／又は決済要求側デバイス１０４に通信可能に結合されたデバイス、例えばリモート制御に対する近接性を判定することが可能でもよい。
【００３３】
決済要求側デバイス１０４は、ブロードキャストメッセージへの応答を提供した１つ以上の近接電子デバイス１０２Ａ〜Ｃから決済トランザクションのためのデフォルト決済デバイスを選択する（３１０）。選択は、電子デバイス１０２Ａ〜Ｃについて判定された可能性、電子デバイス１０２Ａ〜Ｃから受信される適合性スコア、及び／又は決済要因に少なくとも部分的に基づくことができる。決済要因は、例えば、トランザクションを実行する可能性が最も高い、及び／又はトランザクションを実行するのに最も適している電子デバイス１０２Ａ〜Ｃのうちの１つが、デフォルト決済デバイスとして選ばれなければならないことを示すことができる。１つ以上の実装形態では、決済要因は、判定された可能性及び／又は適合性スコアとは無関係に、デフォルトの決済デバイスとして選択されるべき電子デバイス１０２Ａ〜Ｃのうちの１つを示すことができる。
【００３４】
例えば、決済トランザクションを実行する要求が音声コマンドを介して受信されると、決済要因は、音声コマンドが受信されたデバイスに物理的に最も近く位置する電子デバイス１０２Ａ〜Ｃの１つ、例えばリモート制御、充電デバイス、決済要求側デバイス１０４などが、デフォルト決済デバイスとして選択されなければならないことを示すことができる。１つ以上の実装形態では、音声コマンドのソースは部屋の中の位置にマッピングされることができて、音声コマンドのソースに物理的に最も近く位置検出される電子デバイス１０２Ａ〜Ｃのうちの１つがデフォルト決済デバイスとして選択され得る。１つ以上の実装形態では、音声コマンドを提供したユーザは、例えば音声認識などを介して識別されてもよく、音声コマンドを提供したユーザのアカウントに登録されている電子デバイス１０２Ａ〜Ｃのうちの１つが、デフォルトの決済デバイスとして選択され得る。
【００３５】
電子デバイス１０２Ａなどのデフォルト決済デバイスを選択すると、決済要求側デバイス１０４は、第２の通信プロトコルを介して、決済トランザクションを実行するのを容易にするメッセージを送信し、このメッセージはデフォルト決済デバイスのデバイス識別子を含む（３１２）。例えば、決済要求側デバイス１０４は、メッセージを、メッセージの本文内のデバイス識別子及び／又は決済トランザクション識別子などのメッセージの本体内の決済トランザクションに関する情報と共に、第２の通信プロトコルを介して電子決済システムサーバ１０８に送信してもよい。それから、電子決済システムサーバ１０８は、第２の通信プロトコルを介して、電子デバイス１０２Ａとの決済トランザクションを開始することができる。
【００３６】
１つ以上の実装形態では、決済要求側デバイス１０４は、電子デバイス１０２Ａに、メッセージの宛先アドレス内か、又は電子デバイス１０２Ａにメッセージを配信するのを容易にする同様のフィールド内に電子デバイス１０２Ａのデバイス識別子を含むメッセージを、送信することができる。メッセージは、決済トランザクション及び／又は電子決済システムサーバ１０８に関する情報を更に含むことができる。電子デバイス１０２Ａは、受信したメッセージを利用して、第２の通信プロトコルを介して電子決済システムサーバ１０８との決済トランザクションを開始することができる。例えば、メッセージは、選択されたときに決済を開始するリンク又はグラフィカルインジケータなどの要素を含んでもよい。１つ以上の実装形態では、電子デバイス１０２Ａは、図４に関して以下で更に説明されるように、決済トランザクションを電子デバイス１０２Ｂ〜Ｃのもう一方にハンドオフすることができる。
【００３７】
決済要求側デバイス１０４は、第２の通信プロトコルを介して、電子決済システムサーバ１０８から決済トランザクションが実行されたとの確認を受信する（３１４）。確認は、決済トランザクションが電子デバイス１０２Ａによって実行されたこと、及び／又は決済トランザクションがハンドオフされ、電子デバイス１０２Ｂ〜Ｃのうちのもう一方によって実行されたことを更に示すことができる。１つ以上の実装形態では、決済要求側デバイス１０４が所定の時間経過後に確認を受信しない場合、決済要求側デバイス１０４は、決済トランザクションをキャンセルすることができ、並びに／又は、判定された可能性、適合性スコア、及び／若しくは１つ以上の決済要因に基づいて、決済トランザクションを電子デバイス１０２Ｂ〜Ｃのもう一方にハンドオフすることができる。
【００３８】
決済トランザクションが実行されたとの確認を受信すると（３１４）、決済要求側デバイス１０４は、決済要求側デバイス１０４を通じて実行されている、映画などの決済トランザクションに関連付けられた任意のコンテンツへのアクセスを提供すること、決済トランザクションに関連付けられた任意のサービスの実行を容易にすること、及び／又は決済トランザクションに関連付けられた任意のアイテムの購入を完了することなどの、商取引を完了する（３１６）。
【００３９】
図４は、１つ以上の実装形態に係る、決済トランザクションを実行する電子デバイス１０２Ａの例示的なプロセス４００のフロー図を示す。説明のために、プロセス４００を、本明細書では、主として図１〜２の電子デバイス１０２Ａを参照して説明する。しかしながら、プロセス４００は図１〜２の電子デバイス１０２Ａに限定されず、プロセス４００の１つ以上のブロック（又は動作）は電子デバイス１０２Ａの１つ以上の他の構成要素又はチップによって実行されてもよい。電子デバイス１０２Ａはまた、例示的なデバイスとして提示され、本明細書に記載される動作は、電子デバイス１０２Ｂ〜Ｃ、及び／又は決済要求側デバイス１０４のうちの１つ以上などの任意の好適なデバイスによって実行されてもよい。更に、説明のために、プロセス４００のブロックは、本明細書では逐次的に又は直線的に発生するものとして説明している。しかしながら、プロセス４００の複数のブロックは、並行して発生してもよい。加えて、プロセス４００のブロックは、図示された順序で実行される必要はなく、並びに／又は、プロセス４００の１つ以上のブロックは、実行される必要はなく、及び／若しくは他の動作によって置き換えることができる。
【００４０】
プロセス４００は、電子デバイス１０２Ａが第１の通信プロトコル（例えば、ＢＬＥ）を介して決済トランザクションに関する決済要求側デバイス１０４からのメッセージを受信すると開始することができる（４０２）。メッセージは、例えば、ブロードキャスト又はビーコンメッセージであってもよい。メッセージは、電子デバイス１０２Ａが、第２の通信プロトコル（例えば、セルラー、Ｗｉ−Ｆｉなど）上で電子デバイスと通信するためのデバイス識別子によって応答することを要求してもよい。１つ以上の実装形態では、メッセージ（又は後続のメッセージ）は、決済トランザクションに関連付けられた小売商を識別する情報、決済トランザクションに関連付けられた任意の決済要件、並びに／又は決済トランザクションに関連付けられたコンテンツ、サービス、及び／若しくはアイテムを記述する情報などの、決済トランザクションに関する情報を更に含むことができる。
【００４１】
電子デバイス１０２Ａは、受信したメッセージに少なくとも部分的に基づいて、決済トランザクションを実行するための電子デバイス１０２Ａの適合性を示す適合性スコアを判定する（４０４）。例えば、電子デバイス１０２Ａが決済トランザクションを実行できない場合、例えば、電子デバイス１０２Ａが必要な構成要素（例えば、セキュアエレメント）を含まないので、電子デバイス１０２Ａは、０の、又は、電子デバイス１０２Ａが決済トランザクションを実行するのに適していないことを示す何らかの他の値の、適合性スコアを判定することができる。電子デバイス１０２Ａが決済トランザクションを実行することができ、メッセージが決済トランザクションに関するいかなる属性も含まない場合、適合性スコアは、１か１００か、又は電子デバイス１０２Ａが決済トランザクションを実行するのに非常に好適であることを示す、何らかの他の値に設定することができる。
【００４２】
１つ以上の実装形態では、メッセージが決済トランザクションの１つ以上の属性及び／又は要件を含む場合、適合性スコアは、決済トランザクションの１つ以上の属性及び／又は要件、並びに電子デバイス１０２Ａに関連付けられた１つ以上の属性及び／又は特性に基づいて判定することができる。例えば、決済トランザクションが、電子デバイス１０２Ａ上で利用可能でない特定の形態の決済、又は登録されたアカウントを必要とする場合、電子デバイス１０２Ａは、０などの低い適合性スコアを判定することができる。適合性スコアはまた、電子デバイス１０２Ａに関連付けられた購入履歴（例えば、小売商履歴及び／又はコンテンツ履歴）と、決済トランザクションに関連付けられたコンテンツ／サービス／アイテム及び／又は小売商との比較に基づいて判定されてもよい。例えば、電子デバイス１０２Ａが、決済トランザクションに関連付けられた小売商での複数の購入品、又は決済トランザクションに関連付けられた商品のアイテム／クラスの複数の購入品を有する場合、電子デバイス１０２Ａは、高い適合性スコアを生成することができる。
【００４３】
１つ以上の実装形態では、購入履歴の他の属性はまた、例えば、現在の時刻と比較した以前の購入と関連付けられた時刻、現在の曜日と比較した以前の購入と関連付けられた曜日、現在の位置と比較した以前の購入が行われたときの電子デバイス１０２Ａの位置、決済トランザクションの金額と比較した以前の購入の平均金額、電子デバイス１０２Ａが決済要求側デバイス１０４で実行されているトランザクションに対する決済を提供した回数、及び／又は同様のものなどの、決済トランザクションの属性と比較することができる。
【００４４】
１つ以上の実装形態では、適合性スコアは、電子デバイス１０２Ａで利用可能なユーザ活動データ及び／又はユーザ行動データに基づいて判定されてもよい。例えば、電子デバイス１０２Ａに関連付けられたユーザの生体データ／活動データがユーザは眠っていることを示す場合、電子デバイス１０２Ａは、決済トランザクションのための低い適合性スコアを生成することができる。いくつかの実装形態では、適合性スコアを生成する際に複数の因子を評価することができ、いくつかの実装形態では、因子の１つ以上を重み付けすることができる。
【００４５】
電子デバイス１０２Ａは、第１の通信プロトコルを介して、決済要求側デバイス１０４への適合性スコア、並びに第２の通信プロトコルを介して電子デバイス１０２Ａと通信するためのデバイス識別子を提供する（４０６）。決済要求側デバイス１０４が電子デバイス１０２Ａをデフォルト決済デバイスとして選択すると、電子デバイス１０２Ａは、第２の通信プロトコルを介して、第２の通信プロトコルを介して電子決済システムサーバ１０８との決済トランザクションの実行を容易にするメッセージを受信する（４０８）。メッセージは、決済要求側デバイス１０４に提供されたデバイス識別子に少なくとも部分的に基づいて、電子デバイス１０２Ａにアドレス指定することができる。
【００４６】
電子デバイス１０２Ａは、それが決済トランザクションを実行するかどうかを判定する（４１０）。電子デバイス１０２Ａは、ユーザ入力なしで決済要求側デバイス１０４によって選択されていてもよいため、１つ以上の実装形態では、電子デバイス１０２Ａは決済トランザクションを実行しなくてもよい。例えば、電子デバイス１０２Ａは、表示のために受信メッセージ（又はそのインジケーション）を提供することができ、それに応じて、例えば、ユーザから、電子デバイス１０２Ａが決済トランザクションを実行しないというインジケーションを受信してもよい。１つ以上の実装形態では、決済要求側デバイス１０４は、電子デバイス１０２Ａが決済トランザクションを実行しないというインジケーションをユーザなどから受信してもよい。
【００４７】
電子デバイス１０２Ａは、それが決済トランザクションを実行しないと判定すると（４１０）、電子デバイス１０２Ａは、第１の通信プロトコルを介して、決済トランザクションを他の近接電子デバイス１０２Ｂ〜Ｃのうちの１つにハンドオフする手順を開始する（４１２）。例えば、電子デバイス１０２Ａは、プロセス３００の動作のうちの１つ以上を実行して、決済トランザクションを電子デバイス１０２Ｂ〜Ｃのうちのもう一方にハンドオフすることができる。１つ以上の実装形態では、電子デバイス１０２Ａ及び／又は決済要求側デバイス１０４は、他の近接電子デバイス１０２Ｂ〜Ｃのインジケーションを表示してもよく、電子デバイス１０２Ａ及び／又は決済要求側デバイス１０４は、決済トランザクションをハンドオフする電子デバイス１０２Ｂ〜Ｃのもう一方の選択を受信してもよい。
【００４８】
電子デバイス１０２Ａは、決済トランザクションを開始する要求、又は承認を受信することなどに基づいてそれが決済トランザクションを実行すると判定すると（４１０）、電子デバイス１０２Ａは、第２の通信プロトコルを介して、電子決済システムサーバ１０８との決済トランザクションを実行する（４１４）。例えば、電子デバイス１０２Ａは、セキュアエレメント２０６及び／又はその上に記憶されたアプレットを利用して、第２の通信プロトコルを介して電子決済システムサーバ１０８との決済トランザクションを実行することができる。
【００４９】
図５は、１つ以上の実装形態に係る、決済集約の例示的なプロセス５００のフロー図を示す。説明のために、プロセス５００を、本明細書では、主として図１〜２の電子デバイス１０２Ａを参照して説明する。しかしながら、プロセス５００は図１〜２の電子デバイス１０２Ａに限定されず、プロセス５００の１つ以上のブロック（又は動作）は、電子デバイス１０２Ａの１つ以上の他の構成要素、又はチップによって実行されてもよい。電子デバイス１０２Ａはまた、例示的なデバイスとして提示され、本明細書に記載される動作は、電子デバイス１０２Ｂ〜Ｃ、及び／又は決済要求側デバイス１０４のうちの１つ以上などの任意の好適なデバイスによって実行されてもよい。更に、説明のために、プロセス５００のブロックは、本明細書では逐次的に又は直線的に発生するものとして説明している。しかしながら、プロセス５００の複数のブロックは、並行して発生してもよい。加えて、プロセス４００のブロックは、図示された順序で実行される必要はなく、並びに／又は、プロセス５００の１つ以上のブロックは、実行される必要はなく、及び／若しくは他の動作によって置き換えることができる。
【００５０】
プロセス５００は、電子デバイス１０２Ａが決済金額に対する決済トランザクションを実行する要求を受信すると開始することができる（５０２）。例えば、電子デバイス１０２Ａは、映画を注文などのコンテンツの購入、ピザの配達などのアイテム／サービスの購入などの要求を受信することができる。電子デバイス１０２Ａは、第１の通信プロトコル（例えば、ＢＬＥ）を介して、決済トランザクションに関する情報を含むブロードキャストメッセージを送信する（５０４）。決済トランザクションに関する情報は、小売商の１つ以上の属性、電子デバイス１０２Ａに関連付けられたユーザの１つ以上の属性、購入されているアイテム／コンテンツ／サービスの１つ以上の属性、及び／又は決済トランザクションの決済金額を含んでもよい。
【００５１】
電子デバイス１０２Ａは、第１の通信プロトコルを介して、１つ以上の近接電子デバイス１０２Ｂ〜Ｃから１つ以上の応答を受信する（５０６）。例えば、電子デバイス１０２Ｂから受信した応答は、第２の通信プロトコルを介して電子デバイス１０２Ｂと通信するためのデバイス識別子、並びに電子デバイス１０２Ｂによって実行される決済トランザクションによってもたらされる決済金額の一部分のインジケーションを含むことができる。電子デバイス１０２Ａは、第２の通信プロトコルを介して、かつ１つ以上の応答のそれぞれに対して、それぞれの対応する応答に示される決済金額の、それぞれの部分に対するそれぞれの決済トランザクションを実行するメッセージを送信する（５０８）。１つ以上の実装形態では、それぞれのメッセージは、それぞれの応答内に提供されたそれぞれのデバイス識別子を使用して、電子デバイス１０２Ｂ〜Ｃのそれぞれ１つに送信することができる。
【００５２】
電子デバイス１０２Ａは、それぞれの決済トランザクションが、電子デバイス１０２Ｂ〜Ｃによって第２の通信プロトコルを介して電子決済システムサーバ１０８で実行されたそれぞれの確認を、第２の通信プロトコルを介して受信する（５１０）。例えば、電子デバイス１０２Ｂに対する決済トランザクションは、結果として、電子デバイス１０２Ｂが登録されているアカウントから差し引かれて、電子デバイス１０２Ａが登録されているアカウントに預けられる、電子デバイス１０２Ｂからの応答において示される決済金額の部分になり得る。１つ以上の実装形態において、アカウントはそれぞれストアドバリューカードに関連付けられた値を含むことができて、決済金額の部分は、電子デバイス１０２Ｂが登録されているアカウントのストアドバリューカードから、電子決済システムサーバ１０８によって差し引かれ、電子デバイス１０２Ａが登録されるアカウントのストアドバリューカードに、電子決済システムサーバ１０８によって預けられる。
【００５３】
それぞれの決済トランザクションが実行されたことの確認を受信すると、電子デバイス１０２Ａは、第２の通信プロトコルを介して、電子決済システムサーバ１０８などで、初めに要求された決済トランザクション（５１２）を実行する（５１２）。従って、プロセス５００は、電子デバイス１０２Ａが登録されたアカウントが、他の電子デバイス１０２Ｂ〜Ｃが登録されているアカウントから決済金額の個々の部分を受信することを可能にする。決済金額の個々の部分が、電子デバイス１０２Ａが登録されているアカウントに預けられた後、電子デバイス１０２Ａは、決済金額の受信部分の集約並びに、電子デバイス１０２Ａが登録されているアカウントから差し引かれる決済金額のいかなる残りの部分も使用して、第２の通信プロトコルを介して電子決済システムサーバ１０８との決済トランザクションを実行することができる。
【００５４】
１つ以上の実装形態では、電子デバイス１０２Ａは、決済集約のステータスを提供し、及び／又は決済集約処理を制御／修正するためのコマンドを受信する、ユーザインタフェースを表示することができる。例えば、ユーザインタフェースは、他の電子デバイス１０２Ｂ〜Ｃが登録されているアカウントから、電子デバイス１０２Ａが登録されているアカウントへの、決済の部分の送金のステータスを表示することができる。ユーザインタフェースはまた、ユーザが、それぞれの電子デバイス１０２Ｂ〜Ｃに提供されるように申し出られる決済金額のそれぞれの部分を受諾／拒否／キャンセル／返金することを可能にしてもよい。
【００５５】
図６は、主題の技術の１つ以上の実装形態を実施することができる電子システム６００を示す。電子システム６００は、図１に示される電子デバイス１０２Ａ〜Ｃ、決済要求側デバイス１０４及び／若しくは電子決済システムサーバ１０８のうちの１つ以上とすることができ、並びに／又はそれらのうちの一部とすることができる。電子システム６００は、様々なタイプのコンピュータ可読媒体、及び様々な他のタイプのコンピュータ可読媒体のためのインタフェースを含んでもよい。電子システム６００は、バス６０８、１つ以上の処理ユニット（単数又は複数）６１２、システムメモリ６０４（及び／若しくはバッファ）、ＲＯＭ６１０、永久記憶デバイス６０２、入力デバイスインタフェース６１４、出力デバイスインタフェース６０６、並びに１つ以上のネットワークインタフェース６１６、又はそのサブセット及び変形を含む。
【００５６】
バス６０８は、電子システム６００の多数の内部デバイスを通信可能に接続する全てのシステム、周辺機器、及びチップセットバスを集合的に表す。１つ以上の実装形態では、バス６０８は、１つ以上の処理ユニット（単数又は複数）６１２を、ＲＯＭ６１０、システムメモリ６０４、及び永久記憶デバイス６０２と通信可能に接続する。これらの様々なメモリユニットから、１つ以上の処理ユニット（単数又は複数）６１２は、主題の開示のプロセスを実行するために、実行すべき命令及び処理すべきデータを取り出す。１つ以上の処理ユニット（単数又は複数）６１２は、異なる実装形態において、シングルプロセッサ又はマルチコアプロセッサとすることができる。
【００５７】
ＲＯＭ６１０は、１つ以上の処理ユニット（単数又は複数）６１２及び電子システム６００の他のモジュールによって必要とされる静的データ及び命令を記憶する。一方、永久記憶デバイス６０２は、読み出し及び書き込みメモリデバイスであってもよい。永久記憶デバイス６０２は、たとえ電子システム６００がオフであっても、命令及びデータを記憶する不揮発性メモリユニットであってもよい。１つ以上の実装形態では、永久記憶デバイス６０２として、大容量記憶デバイス（磁気又は光ディスク、及びそれに対応するディスクドライブなど）を使用してもよい。
【００５８】
１つ以上の実装形態では、永久記憶デバイス６０２として、リムーバブル記憶デバイス（フロッピーディスク、フラッシュドライブ、及びそれに対応するディスクドライブなど）を使用してもよい。永久記憶デバイス６０２と同様に、システムメモリ６０４は、読み出し及び書き込みメモリデバイスであってもよい。しかしながら、永久記憶デバイス６０２とは異なり、システムメモリ６０４は、ランダムアクセスメモリなどの、揮発性の読み出し及び書き込みメモリであってもよい。システムメモリ６０４は、実行時に１つ以上の処理ユニット（単数又は複数）６１２が必要とし得る命令及びデータのいずれかを記憶してもよい。１つ以上の実装形態では、主題の開示のプロセスは、システムメモリ６０４、永久記憶デバイス６０２、及び／又はＲＯＭ６１０内に記憶される。これらの様々なメモリユニットから、１つ以上の処理ユニット（単数又は複数）６１２は、１つ以上の実装形態のプロセスを実行するために、実行すべき命令及び処理すべきデータを取り出す。
【００５９】
バス６０８はまた、入力及び出力デバイスインタフェース６１４及び６０６に接続する。入力デバイスインタフェース６１４により、ユーザは、電子システム６００に対して、情報を通信し、コマンドを選択することが可能となる。入力デバイスインタフェース６１４と共に使用され得る入力デバイスは、例えば、英数字キーボード及びポインティングデバイス（「カーソル制御デバイス」とも呼ばれる）を含むことができる。出力デバイスインタフェース６０６は、例えば、電子システム６００によって生成された画像の表示を可能にすることができる。出力デバイスインタフェース６０６と共に使用され得る出力デバイスは、例えば、液晶ディスプレイ（liquid crystal display）（ＬＣＤ）、発光ダイオード（light emitting diode）（ＬＥＤ）ディスプレイ、有機発光ダイオード（organic light emitting diode）（ＯＬＥＤ）ディスプレイ、フレキシブルディスプレイ、フラットパネルディスプレイ、ソリッドステートディスプレイ、プロジェクタ、又は情報を出力するための任意の他のデバイス、などのプリンタ及び表示デバイスを含むことができる。１つ以上の実装形態は、タッチスクリーンなどの、入力及び出力デバイスの両方として機能するデバイスを含むことができる。これらの実装形態では、ユーザに提供されるフィードバックは、視覚フィードバック、聴覚フィードバック、触知フィードバックなどの任意の形態の感覚フィードバックであることができ、ユーザからの入力は、音響入力、音声入力、又は触知入力を含む任意の形態で受け取ることができる。
【００６０】
最後に、図６に示すように、バス６０８はまた、１つ以上のネットワークインタフェース（単数又は複数）６１６を通じて、電子システム６００を１つ以上のネットワーク及び／又は１つ以上のネットワークノードに接続する。このようにして、電子システム６００は、コンピュータのネットワーク（ＬＡＮ、広域ネットワーク（wide area network）（「ＷＡＮ」）など）、若しくはイントラネット、又はインターネットなどの複数のネットワーク中の一ネットワークとすることができる。電子システム６００のいずれか又は全ての構成要素は、主題の開示と共に使用することができる。
【００６１】
本開示の範囲内の実装形態は、１つ以上の命令を符号化する有形のコンピュータ可読記憶媒体（又は１つ以上のタイプの、複数の有形のコンピュータ可読記憶媒体）を使用して、部分的に又は完全に実現することができる。有形のコンピュータ可読記憶媒体はまた、事実上、非一時的なものであってもよい。
【００６２】
コンピュータ可読記憶媒体は、命令を実行することができる任意の処理電子機器及び／又は処理回路を含む、汎用又は専用コンピューティングデバイスによって読み取られ、書き込まれ、又は他の方法でアクセスされ得る任意の記憶媒体とすることができる。例えば、限定はしないが、コンピュータ可読媒体は、ＲＡＭ、ＤＲＡＭ、ＳＲＡＭ、Ｔ−ＲＡＭ、Ｚ−ＲＡＭ、及びＴＴＲＡＭなどの任意の揮発性半導体メモリを含むことができる。コンピュータ可読媒体はまた、ＲＯＭ、ＰＲＯＭ、ＥＰＲＯＭ、ＥＥＰＲＯＭ、ＮＶＲＡＭ、フラッシュ、ｎｖＳＲＡＭ、ＦｅＲＡＭ、ＦｅＴＲＡＭ、ＭＲＡＭ、ＰＲＡＭ、ＣＢＲＡＭ、ＳＯＮＯＳ、ＲＲＡＭ、ＮＲＡＭ、レーストラックメモリ、ＦＪＧ、及びミリピードメモリなどの任意の不揮発性半導体メモリを含むことができる。
【００６３】
更に、コンピュータ可読記憶媒体は、光ディスク記憶装置、磁気ディスク記憶装置、磁気テープ、他の磁気記憶デバイス、又は１つ以上の命令を記憶できる任意の他の媒体などの、任意の非半導体メモリを含むことができる。１つ以上の実装形態では、有形のコンピュータ可読記憶媒体はコンピューティングデバイスに直接的に結合することができ、他の実装形態では、有形のコンピュータ可読記憶媒体は、例えば、１つ以上の有線接続、１つ以上の無線接続、又はそれらの任意の組み合わせを介して、コンピューティングデバイスに間接的に結合することができる。
【００６４】
命令は直接実行可能とすることができ、又は実行可能命令を開発するために使用することができる。例えば、命令は、実行可能又は非実行可能なマシンコードとして、又は実行可能又は非実行可能なマシンコードを生成するようにコンパイルされ得る高級言語の命令として、実現することができる。更に、命令はまた、データとして実現され又はデータを含むこともできる。コンピュータ実行可能命令はまた、ルーチン、サブルーチン、プログラム、データ構造、オブジェクト、モジュール、アプリケーション、アプレット、関数などを含む任意のフォーマットで構造化することができる。当業者によって認識されるように、命令の数、構造、順序、及び構造を含むがこれに限定はされない詳細は、基本的なロジック、機能、処理、及び出力を変更することなく大幅に変えることができる。
【００６５】
上記の検討は、主として、ソフトウェアを実行するマイクロプロセッサ又はマルチコアプロセッサに言及しているが、１つ以上の実装形態は、ＡＳＩＣ又はＦＰＧＡ（単数又は複数）などの、１つ以上の集積回路によって実行される。１つ以上の実装形態では、そのような集積回路は、その回路自体に記憶されている命令を実行する。
【００６６】
当業者であれば、本明細書で説明される様々の例示的なブロック、モジュール、エレメント、構成要素、方法、及びアルゴリズムが、電子ハードウェア、コンピュータソフトウェア、又はそれら両方の組み合わせとして実装され得ることを理解するであろう。ハードウェアとソフトウェアのこの互換性を示すために、様々の例示的なブロック、モジュール、エレメント、構成要素、方法、及びアルゴリズムを、それらの機能性の点から一般的に上述してきた。そのような機能性がハードウェア又はソフトウェアとして実装されるかは、特定のアプリケーション及びシステム全体に課される設計上の制約に依存する。当業者であれば、特定のアプリケーション毎に様々な方法で説明した機能性を実装することができるであろう。様々な構成要素及びブロックは、主題の技術の範囲から全く逸脱することなく、異なるように（例えば、異なる順序で配置されるか、又は異なる方法で分割されて）配置されてもよい。
【００６７】
開示されたプロセスにおけるブロックのいかなる特定の順序又は階層も、例示的なアプローチの一例であることが理解されよう。設計選択に基づいて、プロセス内のブロックの特定の順序又は階層は並び替えられてもよいこと、又は例示されているブロックが全て実行されてもよいことが理解される。いずれのブロックも、同時に実行されてよい。１つ以上の実装形態では、マルチタスク及び並列処理が有利であり得る。更に、上述した実装における様々なシステム構成要素の分離は、全ての実装においてそのような分離が必要とされていると理解すべきではない。記載されたプログラム構成要素及びシステムは、単一のソフトウェアプロダクトに同一化されてもよく、又は複数のソフトウェア製品にパッケージ化されてもよいことを理解すべきである。
【００６８】
本出願の本明細書及びいずれかの特許請求の範囲で使用されるとき、用語「基地局」、「受信機」、「コンピュータ」、「サーバ」、「プロセッサ」、及び「メモリ」は全て、電子的又は他の技術的デバイスを指す。これらの用語は、人又は人のグループを除外する。本明細書の目的上、「表示する（display）」又は「表示すること（displaying）」という用語は、電子デバイス上に表示することを意味する。
【００６９】
本明細書で使用する、一連の項目に先行する「少なくとも１つ」というフレーズは、項目のいずれかを分離する「及び」又は「又は」という用語と共に、リストの各要素（すなわち、各項目）ではなく、全体としてリストを修飾する。「少なくとも１つ」というフレーズは、リスト化された各項目の少なくとも１つの選択を必要とはせず、むしろ、そのフレーズは、項目のうちのいずれか１つの少なくとも１つ、及び／又は項目の任意の組み合わせのうちの少なくとも１つ、及び／又は項目のそれぞれのうちの少なくとも１つ、を含む意味を可能にする。例として、「Ａ、Ｂ、及びＣのうちの少なくとも１つ」又は「Ａ、Ｂ、又はＣのうちの少なくとも１つ」というフレーズは、それぞれが、Ａのみ、Ｂのみ、又はＣのみ、Ａ、Ｂ、及びＣの任意の組み合わせ、並びに／又は、Ａ、Ｂ、及びＣのそれぞれのうちの少なくとも１つを指す。
【００７０】
「〜ように構成された（configured to）」、「〜ように動作可能な（operable to）」、及び「〜ようにプログラムされた（programmed to）」という述語は、対象物の特有の有形又は無形の改変を意味するものではなく、むしろ交換可能に使用されることを意図している。１つ以上の実装形態では、動作若しくは構成要素を監視及び制御するように構成されたプロセッサとは、プロセッサが、動作を監視及び制御するようにプログラムされていること、又はプロセッサが、動作を監視及び制御するように動作可能であることも意味し得る。同様に、コードを実行するように構成されたプロセッサは、コードを実行するようにプログラムされた、又はコードを実行するように動作可能なプロセッサ、として解釈することができる。
【００７１】
１つの態様、その態様、別の態様、いくつかの態様、１つ以上の態様、１つの実装形態、その実装形態、別の実装形態、いくつかの実装形態、１つ以上の実装形態、１つの実施形態、その実施形態、別の実施形態、いくつかの実施形態、１つ以上の実施形態、１つの構成、その構成、別の構成、いくつかの構成、１つ以上の構成、主題の技術、開示、本開示、それらの他の変形、及び同様のフレーズは、便宜上のものであり、そのようなフレーズ（単数又は複数）に関する開示が主題の技術に不可欠であること、又はそのような開示が主題の技術の全ての構成に適用されること、の意味を含むものではない。そのようなフレーズ（単数又は複数）に関する開示は、全ての構成、又は１つ以上の構成に適用することができる。そのようなフレーズ（単数又は複数）に関する開示は、１つ以上の例を提供することができる。態様又はいくつかの態様などのフレーズは、１つ以上の態様を指すことができ、その逆も同様であり、これは他の前述のフレーズと同様に適用される。
【００７２】
単語「例示的（exemplary）」は、本明細書において、「例、事例、又は実例の役割を果たすこと」を意味するために使用される。「例示的」又は「例」として本明細書で説明されたいかなる実施形態も、必ずしも他の実施形態を超えて好ましい又は有利であると解釈されるべきではない。更に、「含む」、「有する」などの用語が明細書又は特許請求の範囲で使用される限りにおいて、そのような用語は、「備える」が特許請求の範囲において移行語として使用されるときに解釈されるように、「備える」という用語と同様の方法で包括的であることを意図する。
【００７３】
当業者に知られているか又は後に知られるようになる、本開示を通じて説明される様々な態様のエレメントに対する全ての構造的及び機能的な均等物は、参照により明示的に本明細書に組み込まれ、かつ、特許請求の範囲に包含されるものと意図する。更に、本明細書で開示されたいかなるものも、そのような開示が特許請求の範囲に明白に列挙されているかどうかにかかわらず、公共に捧げられることを意図しない。いかなる特許請求の範囲のエレメントも、エレメントがフレーズ「手段（means for）」を使用して明示的に列挙するか、又は方法の請求項の場合には、エレメントがフレーズ「ステップ（step for）」を使用して列挙しない限り、米国特許法第１１２条第６パラグラフの規定に基づいて解釈されるべきではない。
【００７４】
前述の説明は、当業者が本明細書で説明した様々な態様を実施することを可能にするために提供される。これらの態様に対する様々な変更は、当業者には容易に明らかであり、本明細書で定義される一般的な原理は、他の態様にも適用することができる。それゆえ、請求項は、本明細書に示される態様に限定されること意図されておらず、文言による請求項に合致した全範囲を認められるべきであり、単数形によるエレメントへの言及は、特に断りのない限り、「唯一の（one and only one）」を意味することを意図されておらず、むしろ、「１つ以上の（one or more）」を意味することを意図されている。特記しない限り、「いくつかの（some）」という用語は、１つ以上のものを指す。男性系（例えば、彼）の代名詞は、女性及び中性の性別（例えば、彼女及びその）を含み、並びにその逆である。もしあれば、見出し及び小見出しは、便宜上のみに使用され、本願の開示を限定するものではない。
【図１】
0006955572.tif 000002
【図２】
0006955572.tif 000003
【図３】
0006955572.tif 000004
【図４】
0006955572.tif 000005
【図５】
0006955572.tif 000006
【図６】
0006955572.tif 000007